【手続補正書】
【提出日】平成19年3月26日(2007.3.26)
【手続補正１】
【補正対象書類名】特許請求の範囲
【補正対象項目名】全文
【補正方法】変更
【補正の内容】
【特許請求の範囲】
【請求項１】
第一枠が第二枠に対して開閉枢支される枠部材を備える遊技機に設置される防犯装置であって、衝撃に起因した歪みを生じることにより発電する圧電素子、及び第一枠の開放動作により前記圧電素子に衝撃を与える衝撃発生部からなる発電手段と、該発電手段において発生した電圧を用いて第一枠が第二枠から開放した際の開放信号を発信可能な発信手段とを備えていることを特徴とする遊技機の防犯装置。
【請求項２】
衝撃発生部が、圧電素子に衝突させて歪みを加えるための衝突部材と、該衝突部材を支持し第一枠の開放動作に伴い振動することで、衝突部材が圧電素子に衝突するように形成された弾性部材とから構成してなる請求項１記載の遊技機の防犯装置。
【請求項３】
前記第一枠が第二枠から開放しないように施錠するための施錠装置を備えており、第一枠の施錠を正規の手段で解錠した場合には、圧電素子が発電しないようにして開放信号を発信させないように構成してなる請求項１又は２記載の遊技機の防犯装置。
【請求項４】
前記第一枠が第二枠から開放しないように施錠するための施錠装置を備えており、第一枠の施錠を正規の手段で解錠した場合に、弾性部材の振動を防止するための振動防止手段を備え、該振動防止手段により衝突部材が圧電素子へ衝突するのを防止して、圧電素子が発電しないように構成してなる請求項２記載の遊技機の防犯装置。
【請求項５】
前記施錠装置の鍵穴と連動して回転する回転体と、該回転体の回転に連動して変位する弾性部材固定手段とを備え、
該弾性部材固定手段は、前記施錠装置を施錠した状態では、前記弾性部材の固定を解除する位置に変位し、前記施錠装置を解錠した状態では、前記弾性部材を固定する位置に変位するように構成してなる請求項４に記載の遊技機の防犯装置。
【請求項６】
前記施錠装置の鍵穴と連動して回転するとともに、当該回転に連動して前記衝撃発生部を変位させる回転体と、
前記第一枠と第二枠とが閉鎖した状態では前記衝撃発生部を係止し、前記第一枠の開放動作によって弾性部材に前記振動を与える係止片とを備え、
前記回転体は、前記施錠装置を施錠した状態では前記係止片と衝撃発生部とを係止させ、前記施錠装置を解錠した状態では、前記係止片と衝撃発生部との係止が外れるように構成してなる請求項４に記載の遊技機の防犯装置。
【手続補正２】
【補正対象書類名】明細書
【補正対象項目名】００１０
【補正方法】変更
【補正の内容】
【００１０】
本発明は、
（１）第一枠が第二枠に対して開閉枢支される枠部材を備える遊技機に設置される防犯装置であって、衝撃に起因した歪みを生じることにより発電する圧電素子、及び第一枠の開放動作により前記圧電素子に衝撃を与える衝撃発生部からなる発電手段と、該発電手段において発生した電圧を用いて第一枠が第二枠から開放した際の開放信号を発信可能な発信手段とを備えていることを特徴とする遊技機の防犯装置、
（２）衝撃発生部が、圧電素子に衝突させて歪みを加えるための衝突部材と、該衝突部材を支持し第一枠の開放動作に伴い振動することで、衝突部材が圧電素子に衝突するように形成された弾性部材とから構成してなる上記（１）記載の遊技機の防犯装置、
（３）前記第一枠が第二枠から開放しないように施錠するための施錠装置を備えており、第一枠の施錠を正規の手段で解錠した場合には、圧電素子が発電しないようにして開放信号を発信させないように構成してなる上記（１）又は（２）記載の遊技機の防犯装置、
（４）前記第一枠が第二枠から開放しないように施錠するための施錠装置を備えており、第一枠の施錠を正規の手段で解錠した場合に、弾性部材の振動を防止するための振動防止手段を備え、該振動防止手段により衝突部材が圧電素子へ衝突するのを防止して、圧電素子が発電しないように構成してなる上記（２）記載の遊技機の防犯装置、
（５）前記施錠装置の鍵穴と連動して回転する回転体と、該回転体の回転に連動して変位する弾性部材固定手段とを備え、
該弾性部材固定手段は、前記施錠装置を施錠した状態では、前記弾性部材の固定を解除する位置に変位し、前記施錠装置を解錠した状態では、前記弾性部材を固定する位置に変位するように構成してなる上記（４）に記載の遊技機の防犯装置。
（６）前記施錠装置の鍵穴と連動して回転するとともに、当該回転に連動して前記衝撃発生部を変位させる回転体と、
前記第一枠と第二枠とが閉鎖した状態では前記衝撃発生部を係止し、前記第一枠の開放動作によって弾性部材に前記振動を与える係止片とを備え、
前記回転体は、前記施錠装置を施錠した状態では前記係止片と衝撃発生部とを係止させ、前記施錠装置を解錠した状態では、前記係止片と衝撃発生部との係止が外れるように構成してなる上記（４）に記載の遊技機の防犯装置、
を要旨とする。
また本発明においては、さらに具体的な態様として、
（７）前記第一枠が第二枠から開放しないように施錠するための施錠装置を備えており、第一枠の施錠を正規の手段で解錠した場合に、衝突部材の圧電素子への衝突を防止するための衝突防止手段を備え、該衝突防止手段により衝突部材が圧電素子へ衝突するのを防止して、圧電素子が発電しないように構成してなる上記（２）記載の遊技機の防犯装置、
（８）前記施錠装置が鍵穴と連動して回転する回転体を備え、
該回転体の回転に連動して変位する圧電素子保護板を備え、
該圧電素子保護板は、前記施錠装置を施錠した状態では、前記圧電素子と衝突部材との間以外の位置に変位し、前記施錠装置を解錠した状態では、前記圧電素子と衝突部材との間の位置に変位するように構成してなる上記（７）に記載の遊技機の防犯装置、
（９）前記施錠装置の鍵穴と連動して回転するとともに、当該回転に連動して前記衝撃発生部を変位させる回転体を備え、
該回転体は、前記施錠装置を施錠した状態では、前記衝突部材が前記振動により圧電素子に衝突する位置に前記衝撃発生部を変位させ、前記施錠装置を解錠した状態では、前記衝突部材が前記振動により圧電素子に衝突しない位置に前記衝撃発生部を退避させるように構成してなる上記（７）に記載の遊技機の防犯装置、
によっても上記本発明の目的を達成することができる。
【手続補正３】
【補正対象書類名】明細書
【補正対象項目名】００１７
【補正方法】削除
【補正の内容】
【手続補正４】
【補正対象書類名】明細書
【補正対象項目名】００１９
【補正方法】変更
【補正の内容】
【００１９】
また上記遊技機の防犯装置において、前記施錠装置の鍵穴と連動して回転するとともに、当該回転に連動して前記衝撃発生部を変位させる回転体と、前記第一枠と第二枠とが閉鎖した状態では前記衝撃発生部を係止し、前記第一枠の開放動作によって弾性部材に前記振動を与える係止片とを備え、前記回転体は、前記施錠装置を施錠した状態では前記係止片と衝撃発生部とを係止させ、前記施錠装置を解錠した状態では、前記係止片と衝撃発生部との係止が外れるように構成してなる場合、鍵を使用して枠体を開放した場合には、鍵穴に連動して弾性部材が係止片に係止された状態を解除して、弾性部材を振動しないから開放信号が発生しない。従って不正行為における枠体開放のみを検知することが確実にできる。
【手続補正５】
【補正対象書類名】明細書
【補正対象項目名】００２５
【補正方法】変更
【補正の内容】
【００２５】
上記第一の施錠機構は、図３に示すように、縦長で水平断面がＬ字型の板状体からなる基体６１の上下端部に中枠係止用鉤部材６２ａ、６２ａが軸支され、さらにこれらの上下の中枠係止用鉤部材６２ａ、６２ａを連結する連結杆６３ａが設けられている。
中枠係止用鉤部材６２ａ、６２ａは、通常の状態では、スプリング等により常に上方に付勢されるように形成されている。シリンダ錠６ｃの錠軸６５にカム板６６が軸着されている。連結杆６３ａには、前記カム板６６の端部６６ａが当接する中枠解錠片６７ａが設けられている。
連結杆６３ａは、中枠係止用鉤部材６２ａ、６２ａが基体６１に対して軸支される軸部よりも後端側（パチンコ機を正面から見た場合には前側）にて上下の中枠係止用鉤部材６２ａ、６２ａを連結しており、連結杆６３ａを上方に押し上げると、両中枠係止用鉤部材６２ａ、６２ａの端部（先端側）は下方に移動するように構成されている。
また図１（ｂ）、図２（ａ）に示すように、外枠２の右側端部の所定の位置に、前記中枠係止用鉤部材６２ａ、６２ａを上方に付勢された状態で係止させるための係止片６４ａ、６４ａが設けられている。また施錠装置６には錠軸６５に回転体７が連接されている。回転体７は、施錠装置６の鍵６ｄの回動と連動して回転するように構成されている。
上記第一の施錠機構のうち、中枠係止用鉤部材６２ａ以外の部材は、全て中枠の裏面側に設けられ、シリンダ錠６ｃは中枠及び前枠に設けた貫通孔（図示せず）を介して前枠の前面に臨んでいる。
【手続補正６】
【補正対象書類名】明細書
【補正対象項目名】００２６
【補正方法】変更
【補正の内容】
【００２６】
上記第二の施錠機構は、図３に示すように、前枠係止用鉤部材６２ｂ、６２ｂが前記第一の施錠機構とは反対側のパチンコ機１の前面側に突出するように、基体６１の上下の所定の位置に軸支される。この上下の位置は、前枠４の上下端部付近の位置となるように設けられる。さらに前枠係止用鉤部材６２ｂ、６２ｂは連結杆６３ｂによって連結されており、第一の施錠機構と同様にスプリング等により常に上方に付勢されるように形成されている。
連結杆６３ｂは、前枠係止用鉤部材６２ｂ、６２ｂが基体６１に対して軸支される軸部よりも前端側（パチンコ機を正面から見た場合には前側）にて上下の前枠係止用鉤部材６２ｂ、６２ｂを連結しており、連結杆６３ｂを下方に押し下げると、両前枠係止用鉤部材６２ｂ、６２ｂの端部（先端側）も下方に移動するように構成されている。
前記連結杆６３ｂには、回転体７に設けた突起片１４によりスライド部材１５を介して押し下げられる前枠解錠片６７ｂが形成されている（図６（ａ）、（ｂ）、図７（ａ）、（ｂ）参照。）。
前枠係止用鉤部材６２ｂ、連結杆６３ｂ、解錠片６７ｂは、中枠の前面側に設けられ、前枠解錠片６７ｂは、開口部１３を介して中枠の裏面側に突出している。
また、特に図示しないが、前枠４の右側端部の所定の位置には、前記前枠係止用鉤部材６２ｂ、６２ｂを上方に付勢された状態で係止させるための係止片が設けられている。
【手続補正７】
【補正対象書類名】明細書
【補正対象項目名】００３９
【補正方法】変更
【補正の内容】
【００３９】
これに対し図４（ｂ）、（ｄ）に示すように、施錠装置６の中枠３の施錠を鍵を使用して解錠した状態（正規の手段で解錠した状態である。）では、クランクの固定部１１ｂは板バネ９の遊技機裏面側の板バネ係止片１０側の位置に変位している。施錠装置６のシリンダ錠６ｃの鍵穴に鍵６ｄを差込んでパチンコ機１前面から見た場合の時計方向に回転させて解錠すると、第一の施錠機構の中枠係止用鉤部材６２ａ、６２ａが下方に移動し外枠２に設けた係止片６４ａ、６４ａから外れる。同時に鍵穴に連動して回転する回転体７も、シリンダ錠６ｃに連動して反時計方向（遊技機裏面から見た場合、図中矢印Ｒ方向）に回転する。回転体７に接続されたクランク１１は案内部材１２のガイド溝１２ａに係合し、先端の固定部１１ｂが斜め下方に移動する。
【手続補正８】
【補正対象書類名】明細書
【補正対象項目名】００４２
【補正方法】変更
【補正の内容】
【００４２】
これに対し施錠装置の鍵６ｄを使用しないで中枠を開放させた場合には、図５（ａ）〜（ｃ）を用いて説明した通り、鍵を使用しないと回転体７が回転しないために、クランクの固定部１１ｂによって板バネ９が固定されないので、中枠開放の際の開放信号を発信することができる。なお鍵を使用せずに中枠３を不正に開放させるには、特殊工具などを使用して、中枠３の中枠係止用鉤部材６２ａ、６２ａと外枠２の係止片６４ａ、６４ａとの係合を外す場合が想定される。
【手続補正９】
【補正対象書類名】明細書
【補正対象項目名】００５６
【補正方法】変更
【補正の内容】
【００５６】
図１２（ａ）、（ｂ）、図１３（ａ）、（ｂ）に示すように、板部材１６は図中左側に傾斜面１６ａが設けられ、底面がスライド溝１７を図中左右水平方向に移動するように形成されている。また回転体７の突起片１４に連動するスライド部材１５が、前枠解錠片６７ｂを下方に押し下げるための解錠部１５ａ、及び前記板部材１６の傾斜面１６ａに当接する板部材当接部１５ｅを備えている。スライド部材１５が回転体７の突起片１４によって下方にスライドすると、板部材当接部１５ｅは板部材１６の斜面に作用して、板部材１６はスライド溝１７に沿って鉄球８側に（図中右水平方向に）移動する。